【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
プロセッサと、
前記プロセッサによってアクセス可能なメモリと、前記メモリが、
１つまたは複数のアクセスカテゴリを指定するアクセスカテゴリデータと、前記１つまたは複数のアクセスカテゴリが、ネットワークを介してセンサデータをワイヤレス通信するために１つまたは複数のステーションデバイスによって使用されるべき分散型チャネルアクセスパラメータを指定するセンサアクセスカテゴリを含み、
ステーションデバイスがセンサデータを通信することを可能にするように前記ステーションデバイスに前記アクセスカテゴリデータの少なくとも一部を送るよう前記プロセッサによって実行可能な命令と、前記アクセスカテゴリデータが、デバイスタイプを決定するための指示に関連付けられ、
を備え、
を備える、アクセスポイント。
【請求項２】
前記メモリが、前記１つまたは複数のステーションデバイスにより前記ネットワークを確立するよう前記プロセッサによって実行可能な命令をさらに備える、請求項１に記載のアクセスポイント。
【請求項３】
前記アクセスカテゴリデータは、拡張分散型チャネルアクセス（ＥＤＣＡ）パラメータセット情報要素（ＩＥ）に関連付けられる、請求項１に記載のアクセスポイント。
【請求項４】
前記ＥＤＣＡパラメータセットＩＥは、前記デバイスタイプを決定するための前記指示を含む、請求項１に記載のアクセスポイント。
【請求項５】
前記センサアクセスカテゴリが第１の調停フレーム内間隔数（ＡＩＦＳＮ）値を示し、前記アクセスカテゴリデータが少なくとも１つの媒体アクセスカテゴリに関する第２のＡＩＦＳＮ値を含み、前記第１のＡＩＦＳＮ値が前記第２のＡＩＦＳＮ値よりも低い、請求項１に記載のアクセスポイント。
【請求項６】
前記センサアクセスカテゴリが、７という最小コンテンションウィンドウ値と、３１という最大コンテンションウィンドウ値と、２という調停フレーム内間隔数（ＡＩＦＳＮ）値とを示す、請求項１に記載のアクセスポイント。
【請求項７】
前記センサアクセスカテゴリが、７という最小コンテンションウィンドウ値と、１５という最大コンテンションウィンドウ値と、２という調停フレーム内間隔数（ＡＩＦＳＮ）値とを示す、請求項１に記載のアクセスポイント。
【請求項８】
前記センサアクセスカテゴリが送信機会（ＴＸＯＰ）値を示し、前記ＴＸＯＰ値がゼロ（０）またはおよそ１５．６ミリ秒のうち１つである、請求項１に記載のアクセスポイント。
【請求項９】
プロセッサと、
前記プロセッサによってアクセス可能なメモリと、前記メモリが、
１つまたは複数のアクセスカテゴリを指定するアクセスカテゴリデータと、前記１つまたは複数のアクセスカテゴリが、センサデータをワイヤレス通信するために使用されるべき分散型チャネルアクセスパラメータを指定するセンサアクセスカテゴリを含み、
前記センサアクセスカテゴリを使用してセンサデータをワイヤレス送信するよう前記プロセッサによって実行可能な命令と、前記アクセスカテゴリデータは、デバイスタイプを決定するための指示に関連付けられ、
を備え、
を備える、ステーション。
【請求項１０】
前記１つまたは複数のアクセスカテゴリが、媒体データをワイヤレス通信するために使用されるべき分散型チャネルアクセスパラメータを指定する少なくとも１つの媒体アクセスカテゴリをさらに含む、請求項９に記載のステーション。
【請求項１１】
前記アクセスカテゴリデータが、前記センサデータに対してよりも、前記媒体データに対して低い優先度を指定する、請求項１０に記載のステーション。
【請求項１２】
前記１つまたは複数のアクセスカテゴリが、音声データをワイヤレス通信するために使用されるべき分散型チャネルアクセスパラメータを指定する少なくとも１つの音声アクセスカテゴリをさらに含む、請求項９に記載のステーション。
【請求項１３】
前記アクセスカテゴリデータが、前記センサデータに対してよりも、前記音声データに対して低い優先度を指定する、請求項１２に記載のステーション。
【請求項１４】
前記１つまたは複数のアクセスカテゴリが、ビデオデータをワイヤレス通信するために使用されるべき分散型チャネルアクセスパラメータを指定する少なくとも１つのビデオアクセスカテゴリをさらに含み、前記アクセスカテゴリデータは、前記センサデータに対してよりも、前記ビデオデータに対して低い優先度を指定する、請求項９に記載のステーション。
【請求項１５】
前記１つまたは複数のアクセスカテゴリデータは、ベストエフォートデータとバックグラウンドデータの送信に関する単一アクセスカテゴリを含む、請求項１４に記載のステーション。
【手続補正２】
【補正対象書類名】明細書
【補正対象項目名】０１３２
【補正方法】変更
【補正の内容】
【０１３２】
［00141]開示する実施形態の前述の説明は、当業者がこれらの開示する実施形態を作製または使用することを可能にするために提供されるものである。これらの実施形態の様々な修正は、当業者には容易に明らかであり、本明細書で定義される原理は、本開示の範囲から逸脱することなく他の実施形態に適用され得る。したがって、本開示は、本明細書で開示される実施形態に限定されることを意図したものではなく、以下の特許請求の範囲によって定義される原理および新規な特徴に一致する可能な最も広い範囲に与えられることを意図したものである。
以下に、本願出願の当初の特許請求の範囲に記載された発明を付記する。
［Ｃ１］プロセッサと、
前記プロセッサによってアクセス可能なメモリであって、前記メモリが、
１つまたは複数のアクセスカテゴリを指定するアクセスカテゴリデータであって、前記１つまたは複数のアクセスカテゴリが、ネットワークを介してセンサデータをワイヤレス通信するために１つまたは複数のステーションデバイスによって使用されるべき分散型チャネルアクセスパラメータを指定するセンサアクセスカテゴリを含む、アクセスカテゴリデータ、および
ステーションデバイスがセンサデータを通信することを可能にするように前記ステーションデバイスに前記アクセスカテゴリデータの少なくとも一部を送るよう前記プロセッサによって実行可能な命令
を備える、メモリと
を備えるデバイス。
［Ｃ２］前記メモリが、前記１つまたは複数のステーションデバイスにより前記ネットワークを確立するよう前記プロセッサによって実行可能な命令をさらに備える、Ｃ１に記載のデバイス。
［Ｃ３］前記１つまたは複数のアクセスカテゴリが、前記ネットワークを介して媒体データをワイヤレス通信するために前記１つまたは複数のステーションデバイスによって使用されるべき分散型チャネルアクセスパラメータを指定する少なくとも１つの媒体アクセスカテゴリをさらに含む、Ｃ１に記載のデバイス。
［Ｃ４］前記センサアクセスカテゴリが第１の調停フレーム内間隔数（ＡＩＦＳＮ）値を示し、前記アクセスカテゴリデータが少なくとも１つの媒体アクセスカテゴリに関する第２のＡＩＦＳＮ値を含み、前記第１のＡＩＦＳＮ値が前記第２のＡＩＦＳＮ値よりも低い、Ｃ１に記載のデバイス。
［Ｃ５］前記センサアクセスカテゴリが、７という最小コンテンションウィンドウ値と、３１という最大コンテンションウィンドウ値と、２という調停フレーム内間隔数（ＡＩＦＳＮ）値とを示す、Ｃ１に記載のデバイス。
［Ｃ６］前記センサアクセスカテゴリが、７という最小コンテンションウィンドウ値と、１５という最大コンテンションウィンドウ値と、２という調停フレーム内間隔数（ＡＩＦＳＮ）値とを示す、Ｃ１に記載のデバイス。
［Ｃ７］前記センサアクセスカテゴリが送信機会（ＴＸＯＰ）値を示し、前記ＴＸＯＰ値がゼロ（０）またはおよそ１５．６ミリ秒のうち１つである、Ｃ１に記載のデバイス。
［Ｃ８］前記１つまたは複数のアクセスカテゴリが、ベストエフォートデータおよびバックグラウンドデータの送信のための単一アクセスカテゴリを含む、Ｃ１に記載のデバイス。
［Ｃ９］プロセッサと、
前記プロセッサによってアクセス可能なメモリであって、前記メモリが、
１つまたは複数のアクセスカテゴリを指定するアクセスカテゴリデータであって、前記１つまたは複数のアクセスカテゴリが、センサデータをワイヤレス通信するために使用されるべき分散型チャネルアクセスパラメータを指定するセンサアクセスカテゴリを含む、アクセスカテゴリデータ、および
前記センサアクセスカテゴリを使用してセンサデータをワイヤレス送信するよう前記プロセッサによって実行可能な命令
を備える、メモリと
を備えるデバイス。
［Ｃ１０］前記１つまたは複数のアクセスカテゴリが、媒体データをワイヤレス通信するために使用されるべき分散型チャネルアクセスパラメータを指定する少なくとも１つの媒体アクセスカテゴリをさらに含む、Ｃ９に記載のデバイス。
［Ｃ１１］前記アクセスカテゴリデータが、前記センサデータに対してよりも、前記媒体データに対して低い優先度を指定する、Ｃ１０に記載のデバイス。
［Ｃ１２］前記１つまたは複数のアクセスカテゴリが、音声データをワイヤレス通信するために使用すべき分散型チャネルアクセスパラメータを指定する少なくとも１つの音声アクセスカテゴリをさらに含む、Ｃ９に記載のデバイス。
［Ｃ１３］前記アクセスカテゴリデータが、前記センサデータに対してよりも、音声データに対して低い優先度を指定する、Ｃ１０に記載のデバイス。
［Ｃ１４］前記１つまたは複数のアクセスカテゴリが、ビデオデータをワイヤレス通信するために使用されるべき分散型チャネルアクセスパラメータを指定する少なくとも１つのビデオアクセスカテゴリをさらに含む、Ｃ９に記載のデバイス。
［Ｃ１５］前記アクセスカテゴリデータが、前記センサデータに対してよりも、前記ビデオデータに対して低い優先度を指定する、Ｃ１４に記載のデバイス。
［Ｃ１６］アクセスカテゴリデータを使用して、第１のデータのデータタイプに割り当てられたアクセスカテゴリに基づいて前記第１のデータの送信のために使用されるべき分散型チャネルアクセスパラメータを決定するための手段であって、前記アクセスカテゴリデータが、センサデータをワイヤレス通信するために使用されるべきセンサデータ分散型チャネルアクセスパラメータを指定するセンサアクセスカテゴリを含む１つまたは複数のアクセスカテゴリを指定する、手段と、
前記決定された分散型チャネルアクセスパラメータを使用して、前記第１のデータをワイヤレス送信するための手段と
を備える装置。
［Ｃ１７］送信されるべき前記第１のデータのデータタイプを決定するための手段をさらに備える、Ｃ１６に記載の装置。
［Ｃ１８］前記第１のデータの送信のために使用されるべき前記分散型チャネルアクセスパラメータを決定する前にアクセスポイントからアクセスカテゴリデータの少なくとも一部を受信するための手段をさらに備える、Ｃ１６に記載の装置。
［Ｃ１９］前記センサアクセスカテゴリが第１の調停フレーム内間隔数（ＡＩＦＳＮ）を示し、前記アクセスカテゴリデータが少なくとも１つの媒体アクセスカテゴリに関する第２のＡＩＦＳＮを含み、前記第１のＡＩＦＳＮが前記第２のＡＩＦＳＮよりも低い、Ｃ１６に記載のデバイス。
［Ｃ２０］前記センサアクセスカテゴリが、７という最小コンテンションウィンドウ値と、３１という最大コンテンションウィンドウ値と、２という調停フレーム内間隔数（ＡＩＦＳＮ）値とを示す、Ｃ１６に記載のデバイス。
［Ｃ２１］前記アクセスカテゴリデータが、１５という最小コンテンションウィンドウ値と、３１という最大コンテンションウィンドウ値と、４というＡＩＦＳＮ値とを有する音声アクセスカテゴリを指定する、Ｃ２０に記載のデバイス。
［Ｃ２２］前記アクセスカテゴリデータが、１５という最小コンテンションウィンドウ値と、３１という最大コンテンションウィンドウ値と、５というＡＩＦＳＮ値とを有するビデオアクセスカテゴリを指定する、Ｃ２０に記載のデバイス。
［Ｃ２３］前記アクセスカテゴリデータが、３１という最小コンテンションウィンドウ値と、１０２３という最大コンテンションウィンドウ値と、７というＡＩＦＳＮ値とを有するベストエフォートアクセスカテゴリを指定する、Ｃ２０に記載のデバイス。
［Ｃ２４］送信されるべき第１のデータのデータタイプを決定することと、
アクセスカテゴリデータを使用して、前記第１のデータの前記データタイプに割り当てられたアクセスカテゴリに基づいて前記第１のデータの送信のために使用されるべき分散型チャネルアクセスパラメータを決定することであって、前記アクセスカテゴリデータが、センサデータをワイヤレス通信するために使用されるべきセンサデータ分散型チャネルアクセスパラメータを指定するセンサアクセスカテゴリを含む１つまたは複数のアクセスカテゴリを指定する、決定することと、
前記決定された分散型チャネルアクセスパラメータを使用して、前記第１のデータをワイヤレス送信することと
を備える方法。
［Ｃ２５］前記第１のデータの送信のために使用されるべき前記分散型チャネルアクセスパラメータを決定する前にアクセスポイントから前記アクセスカテゴリデータの少なくとも一部を受信することをさらに備える、Ｃ２４に記載の方法。
［Ｃ２６］前記センサデータ分散型チャネルアクセスパラメータが、７という最小コンテンションウィンドウ値と、１５という最大コンテンションウィンドウ値と、２という調停フレーム内間隔数（ＡＩＦＳＮ）値とを含む、Ｃ２４に記載の方法。
［Ｃ２７］前記１つまたは複数のアクセスカテゴリが、１５（７）という最小コンテンションウィンドウ値と、３１という最大コンテンションウィンドウ値と、４というＡＩＦＳＮ値とを含むビデオデータ分散型チャネルアクセスパラメータを指定するビデオアクセスカテゴリを含む、Ｃ２６に記載の方法。
［Ｃ２８］前記センサデータ分散型チャネルアクセスパラメータが、ゼロ（０）という送信機会（ＴＸＯＰ）値を示す、Ｃ２４に記載の方法。
［Ｃ２９］前記センサデータ分散型チャネルアクセスパラメータが、およそ１５．６ミリ秒という送信機会（ＴＸＯＰ）値を示す、Ｃ２４に記載の方法。
［Ｃ３０］前記１つまたは複数のアクセスカテゴリが、ベストエフォートデータおよびバックグラウンドデータの送信のための単一アクセスカテゴリを含む、Ｃ２４に記載の方法。
［Ｃ３１］前記データタイプがアクセスカテゴリに関連付けられる、Ｃ２４に記載の方法。
［Ｃ３２］前記データタイプが、ベストエフォート、ビデオ、音声、またはセンサのうち１つを備える、Ｃ２４に記載の方法。
［Ｃ３３］前記１つまたは複数のアクセスカテゴリが、前記センサアクセスカテゴリ、ベストエフォートアクセスカテゴリ、ビデオアクセスカテゴリ、音声アクセスカテゴリ、またはこれらの組合せを含む、Ｃ２４に記載の方法。
［Ｃ３４］前記１つまたは複数のアクセスカテゴリが、ベストエフォートデータおよびバックグラウンドデータのための単一アクセスカテゴリを含む、Ｃ３３に記載の方法。
［Ｃ３５］前記少なくとも１つのチャネルアクセスパラメータが、最小コンテンションウィンドウ値、最大コンテンションウィンドウ値、調停フレーム内間隔数値、またはこれらの組合せを備える、Ｃ２４に記載の方法。
［Ｃ３６］前記少なくとも１つのチャネルアクセスパラメータが拡張分散型チャネルアクセス（ＥＤＣＡ）パラメータに関連付けられる、Ｃ２４に記載の方法。
［Ｃ３７］プロセッサ実行可能命令を備える非一時的記憶媒体であって、前記命令は、プロセッサによって実行されるとき、前記プロセッサに、
送信されるべき第１のデータのデータタイプを決定することと、
アクセスカテゴリデータを使用して、前記第１のデータの前記データタイプに割り当てられたアクセスカテゴリに基づいて前記第１のデータの送信のために使用されるべき分散型チャネルアクセスパラメータを決定することであって、前記アクセスカテゴリデータが、センサデータをワイヤレス通信するために使用されるべきセンサデータ分散型チャネルアクセスパラメータを指定する、決定することとを行わせる、センサアクセスカテゴリを含む１つまたは複数のアクセスカテゴリを指定する、
非一時的記憶媒体。
［Ｃ３８］少なくとも１つのチャネルアクセスパラメータがデバイスタイプに少なくとも部分的に基づいて決定される、Ｃ３７に記載の非一時的記憶媒体。
［Ｃ３９］少なくとも１つのチャネルアクセスパラメータが、デバイスが特定のグループの一員であることに少なくとも部分的に基づいて決定される、Ｃ３７に記載の非一時的記憶媒体。
［Ｃ４０］少なくとも１つのチャネルアクセスパラメータがトラフィックタイプに少なくとも部分的に基づいて決定される、Ｃ３７に記載の非一時的記憶媒体。
［Ｃ４１］前記プロセッサによって実行されるとき、前記プロセッサに、米国電気電子学会（ＩＥＥＥ）８０２．１１ａｈ規格に基づいて少なくとも１つのチャネルアクセスパラメータを決定させるプロセッサ実行可能命令をさらに備える、Ｃ３７に記載の非一時的記憶媒体。
［Ｃ４２］前記プロセッサによって実行されるとき、前記プロセッサに、基本値およびデルタ値に基づいて少なくとも１つの分散型チャネルアクセスパラメータの第１の値を決定させるプロセッサ実行可能命令をさらに備える、Ｃ３７に記載の非一時的記憶媒体。
［Ｃ４３］前記プロセッサによって実行されるとき、前記プロセッサに、
第２の基本値を受信させ、
前記第２の基本値および前記デルタ値に基づいて、前記少なくとも１つの分散型チャネルアクセスパラメータの第２の値を決定させる
プロセッサ実行可能命令をさらに備える、Ｃ４２に記載の非一時的記憶媒体。
［Ｃ４４］ビーコン内の前記基本値を受信することをさらに備える、Ｃ４２に記載の非一時的記憶媒体。
［Ｃ４５］前記デルタ値がデバイス固有デルタ値またはグループ固有デルタ値を備える、Ｃ４２に記載の非一時的記憶媒体。
［Ｃ４６］前記プロセッサによって実行されるとき、前記プロセッサに、前記決定された分散型チャネルアクセスパラメータを使用して前記第１のデータのワイヤレス送信を開始させるプロセッサ実行可能命令をさらに備える、Ｃ４２に記載の非一時的記憶媒体。
［Ｃ４７］データを送信するためにデバイスに関連付けられたデバイスタイプを決定することと、
アクセスカテゴリデータを使用して、前記デバイスタイプに基づいて前記データの送信のために使用されるべき少なくとも１つの分散型チャネルアクセスパラメータを決定することであって、前記アクセスカテゴリデータが、センサアクセスカテゴリを含む１つまたは複数のアクセスカテゴリを指定し、前記センサアクセスカテゴリが、センサデータをワイヤレス通信するために使用されるべきセンサデータ分散型チャネルアクセスパラメータを指定する、決定することと
を備える方法。
［Ｃ４８］前記少なくとも１つのチャネルアクセスパラメータが、最小コンテンションウィンドウ値、最大コンテンションウィンドウ値、調停フレーム内間隔数値、またはこれらの組合せのうち１つを備える、Ｃ４７に記載の方法。
［Ｃ４９］前記少なくとも１つのチャネルアクセスパラメータが拡張分散型チャネルアクセス（ＥＤＣＡ）パラメータに関連付けられる、Ｃ４７に記載の方法。
［Ｃ５０］前記少なくとも１つのチャネルアクセスパラメータが送信機会（ＴＸＯＰ）値に関連付けられる、Ｃ４７に記載の方法。
［Ｃ５１］前記デバイスタイプが、前記デバイスが特定のグループの一員であることに基づいて決定される、Ｃ４７に記載の方法。
［Ｃ５２］前記デバイスタイプが、前記デバイスによって生成されるデータのトラフィックタイプに基づいて決定される、Ｃ４７に記載の方法。
［Ｃ５３］前記デバイスタイプが、センサ、非センサ、バッテリ式、電源式、またはこれらの組合せを備える、Ｃ４７に記載の方法。
［Ｃ５４］前記１つまたは複数のアクセスカテゴリが、前記センサアクセスカテゴリ、ベストエフォートアクセスカテゴリ、ビデオアクセスカテゴリ、音声アクセスカテゴリ、またはこれらの組合せを備える、Ｃ４７に記載の方法。
［Ｃ５５］前記１つまたは複数のアクセスカテゴリが、ベストエフォートデータおよびバックグラウンドデータのための単一アクセスカテゴリを備える、Ｃ５４に記載の方法。
［Ｃ５６］米国電気電子学会（ＩＥＥＥ）８０２．１１ａｈ規格に基づいて前記少なくとも１つのチャネルアクセスパラメータを決定することをさらに備える、Ｃ４７に記載の方法。
［Ｃ５７］データを送信するデバイスを識別することと、
アクセスカテゴリデータを使用して、前記識別されたデバイスに基づいて前記データの送信のために使用されるべき少なくとも１つの分散型チャネルアクセスパラメータを決定することであって、前記アクセスカテゴリデータが、センサアクセスカテゴリを含む１つまたは複数のアクセスカテゴリを指定し、前記センサアクセスカテゴリが、センサデータをワイヤレス通信するために使用されるべきセンサデータ分散型チャネルアクセスパラメータを指定する、決定することと
を備える方法。
［Ｃ５８］前記デバイスが、デバイス識別子、前記デバイスに関連付けられたネットワークアドレス、前記デバイスに関連付けられたローカル識別子、前記デバイスに関連付けられたネットワーク識別子、またはこれらの組合せに基づいて識別される、Ｃ５７に記載の方法。
［Ｃ５９］前記デバイス識別子が、国際モバイル加入者識別情報、国際モバイル機器識別情報、加入者識別モジュール識別子、メディアアクセス制御アドレス、電子シリアル番号、またはこれらの組合せを備える、Ｃ５８に記載の方法。
［Ｃ６０］前記１つまたは複数のアクセスカテゴリが、前記センサアクセスカテゴリ、ベストエフォートアクセスカテゴリ、ビデオアクセスカテゴリ、音声アクセスカテゴリ、またはこれらの組合せを備える、Ｃ５７に記載の方法。
［Ｃ６１］前記１つまたは複数のアクセスカテゴリが、ベストエフォートデータおよびバックグラウンドデータのための単一アクセスカテゴリを備える、Ｃ６０に記載の方法。
［Ｃ６２］前記少なくとも１つのチャネルアクセスパラメータが、最小コンテンションウィンドウ値、最大コンテンションウィンドウ値、調停フレーム内間隔数値、またはこれらの組合せを備える、Ｃ５７に記載の方法。
［Ｃ６３］前記少なくとも１つのチャネルアクセスパラメータが拡張分散型チャネルアクセス（ＥＤＣＡ）パラメータに関連付けられる、Ｃ５７に記載の方法。